(57)【要約】【課題】移設および移動が容易で、その家具が設置された場合にその家具の背面となる既設の押入れや窓やドアその他の既設開口部の使用が妨げられることがなく、また床材を家具の移動の繰り返しによる損傷から保護することができる移設可能な家具移動装置を提供する。【解決手段】容易に移設可能な板状の基台１と、その基台の上に着脱自在に載置されて特定方向に移動できる台車２からなり、その台車の上に特定の家具３を固結または載置し、その台車２と特定の家具３を同時に移動することにより、その特定の家具３の背面にある開口部の使用を可能にする。また基台１により床材を家具の移動の繰り返しによる損傷から保護する。【選択図】　図１
2004113338.tif 000002
【特許請求の範囲】
【請求項１】
容易に移設可能であり、床材を家具の移動の繰り返しによる損傷から保護することのできる板状の基台と、その基台の上に着脱自在に載置され、その基台の上を特定方向に移動できる台車からなり、その台車の上に特定の家具を固結または載置することが可能なことを特徴とする移設可能な家具移動装置。
【請求項２】
請求項１における基台の上を特定方向に移動できる台車と、その台車の上に固結または載置される特定の家具とが当初から一体化されて製作されていることを特徴とする、移設可能な家具移動装置及び家具。
【発明の詳細な説明】
【０００１】
【発明の属する技術分野】
本発明は、事務所内や住居内において本発明品が設置された場所で、本発明品の背面となる既設の押入れや窓やドアその他の既設開口部の使用が妨げられることがなく、また本発明品の下の床材を家具の移動の繰り返しによる損傷から保護することができる移設可能な家具移動装置に関する。
【０００２】
【従来の技術】
従来の移動式家具においては、例えば特開平７−８３４７号公報や特開平１０−１７９２７８号公報に記載されているように、通常はその家具そのものの収納場所を設けて収納しておき、家具の使用時はその収納場所から家具を移動させて使用し、家具の使用後は元の収納場所に家具を再移動して家具を収納する方式があった。
【０００３】
しかし、これらの家具については全て造り付けであり、この家具を移設することは困難で、事務所内や住居内においての模様替えにも対応できず、引越しにも対応する事が困難であった。
【０００４】
また、既設の押入れや窓やドアその他の既設開口部の前面に設置すると、その既設の押入れや窓やドアその他の既設開口部の使用ができなくなるという問題があった。
【０００５】
また、移動式家具の従来の技術として特開平１０−８５０５９に記載されているような周知のスライド書棚があるが、書棚の内部の一部分が移動でき、また書棚全体の移設は可能であるものの、既設の押入れや窓やドアその他の既設開口部の位置によりその家具の設置場所が制限され、又、やむを得ずそれらの開口部の前面にその家具が設置された場合は、その家具の背面となったそれらの開口部の使用が妨げられるという問題があった。
【０００６】
さらに移動式家具の従来の技術としてキャスター付家具があるが、キャスター付家具は重量物になると動きが重くなり動かしにくく、また家具の移動の繰り返しにより床材に損傷を与えるという問題がある。特別に重量物で無いキャスター付家具の場合でも、床材が絨毯や畳の場合は動かしにくく、絨毯や畳に損傷を与えるという問題があった。
【０００７】
【発明が解決しようとする課題】
従来の家具では、既設の押入れや窓やドアその他の既設開口部の位置によりその家具の設置場所が制限され、又、やむを得ずそれらの開口部の前面にその家具が設置された場合には、その家具の背面となったそれらの開口部の使用が妨げられるという問題が生じた。
【０００８】
また、移設容易なキャスター付家具の場合は比較的軽いものに限られ、その場合でも家具の移動の繰り返しにより床材の絨毯や畳に損傷を与えるという問題があった。
【０００９】
そこで、本発明はこのような従来技術における問題を解消し、移設と移動が容易にでき、かつ設置場所の床材を家具の移動の繰り返しによる損傷から保護することのできる移設可能な家具移動装置を提供することを目的とする。
【００１０】
【課題を解決するための手段】
容易に移設可能であり、床材を家具の移動の繰り返しによる損傷から保護する板状の基台と、その基台の上に着脱自在に載置され、その基台の上を特定方向に移動できる台車からなり、その台車の上に特定の家具を固結または載置することが可能なことを特徴とする移設可能な家具移動装置を提供する。
【００１１】
また、前記における基台の上を特定方向に移動できる台車と、その台車の上に固結または載置される特定の家具とが当初から一体化されて製作されていることを特徴とする移設可能な家具移動装置及び家具を提供する。
【００１２】
【発明の実施の形態】
本明細書において、移設とは本発明品の全体の設置場所を変えることを意味し、移動とは本発明品が設置された場所でその一部分が動くことを意味する。また、特定の家具とは、書棚、箪笥、食器棚、ロッカー類の家具またはソファ、ベッド類の家具、もしくは冷蔵庫、洗濯機類の家電製品類で、本発明品の使用者が既に所持しているもの、あるいは本発明品に適合させるために製作又は加工されたものを意味する。
【００１３】
図１から図４は本発明の実施例１を示し、図１は斜視図、図２は分解斜視図、図３は図１のＡ−Ａ断面図、図４は図１のＢ−Ｂ断面図である。これらの図に示すように、実施例１における本発明は、容易に移設可能な基台１と、その基台１の上に着脱自在に載置されて特定方向に移動できる台車２から構成されており、台車２の上には特定の家具３が固結または載置されることが可能となっている。
【００１４】
基台１は、台車２と特定の家具３を支持する強度を有し、絨毯や畳その他の床材を家具の移動の繰り返しによる損傷から保護することのできる基板１ａと、その上に着脱自在に載置される台車２を特定方向に移動可能にする装置、例えば一対以上からなるレール１ｂと、台車２の移動範囲を制限する図示しないストッパーを備えている。
【００１５】
図２に示す基台１ａの幅寸法Ｌ１は台車２および特定の家具３を移動するために必要な寸法とし、奥行寸法Ｄ１は台車２および特定の家具３を安定して載置および移動するために必要な寸法とする。
【００１６】
基台１の上に着脱自在に載置されて特定方向に移動する台車２は、台車基板２ａと、台車２を移動可能にする装置として例えばレール１ｂに対応した複数個からなる戸車２ｂを備えており、台車２の上に固結または載置される特定の家具３を支持する強度を有し、特定の家具３の固結または載置が可能な構造とする。
【００１７】
台車基板２ａは特定の家具３の固結または載置が可能であれば板状でもまたはフレーム状でも可能である。
【００１８】
図２に示す台車基板２ａの幅寸法Ｌ２および奥行寸法Ｄ２は特定の家具３を載置または固結するために必要な寸法とする。
【００１９】
また、特定の家具３を大きさの異なる家具に交換した場合にも対応できるように、台車基板２ａの幅寸法Ｌ２および奥行寸法Ｄ２を伸縮自在に変えられるようにしておくことも可能である。
【００２０】
図１から図１１において特定の家具は書棚の例で示してあるが、特定の家具は書棚、箪笥、食器棚、ロッカー類の家具またはソファ、ベッド類の家具、若しくは冷蔵庫、洗濯機類の家電製品類でも可能である。
【００２１】
実施例２を図５および図６に示す。図５において基台５は、移設可能な板状の基台５ａと図示しないストッパーとを備えているが、実施例１の図１に示したレール１ｂは備えていない。
【００２２】
台車６は基板６ａと、基台５の上を特定方向に移動可能にする装置として例えば複数個からなる戸車６ｂと、基台５の両側を挟むような形状で台車６の移動方向を誘導するガイド６ｃとからなっている。基板６ａは板状でもまたはフレーム状でも可能であり、また基板６ａの幅寸法Ｌ２と奥行寸法Ｄ２が伸縮自在に変えられるものでも可能である。図６は図５のＣ−Ｃ断面図を示す。
【００２３】
実施例３を図７に示す。図７において台車６は、図６で示した台車６の移動方向を誘導するガイド６ｃの代わりとしてガイドローラー６ｄを備えており、また基台５はガイドレール５ｃを備えている。
【００２４】
請求項２においては、図８に示すように請求項１における台車２と特定の家具３が当初から一体化されて製作され特定の家具４となっている。また特定の家具４は使用者が既に所持している家具にそれを移動可能にする装置として、例えば複数個からなる戸車を付加したものでも可能である。この台車と一体化された特定の家具４の下端部の台車部分と基台１は図６に示した実施例２の台車と基台の形状にすることも可能であり、また図７に示した実施例３の台車と基台の形状とすることも可能である。
【００２５】
次に使用方法を説明する。実施例１において、本発明品を例えば住居内の押入れの前に設置した例を図９に示す。
【００２６】
特定の家具３は台車２と共に容易に移動することが可能であるから、押入れの右側の襖を開けて押入れ内収納物の出し入れをする場合は、図９の破線に示すように特定の家具３と台車２を左の位置に移動し、また、押入れの左側の襖を開けて押入れ内収納物の出し入れをする場合は、図９の実線に示すように特定の家具３と台車２を右の位置に移動するという様にして、特定の家具３と台車２を左右どちらかに移動することで、押入れ内の左右どちら側の収納物の出し入れも可能となり、特定の家具３が設置されてその背面となった既設の開口部の使用が妨げられることがなくなる。
【００２７】
また、本発明品は基台１と台車２と特定の家具３とに分割することが容易にできる。従って分割して移設することも容易になる。
【００２８】
そのため、図９において押入れの前に設置した本発明品を、部屋の模様替えにより、例えば図１０に示す同じ部屋内の窓の前に移設する場合も、基台１と台車２と特定の家具３とに分割することで移設が容易にできる。
【００２９】
前記により本発明品を図１０に示す窓の前に移設した場合も、左側の窓を開ける場合は、特定の家具３と台車２を反対側の右の位置に移動するというようにして、その窓の開閉は妨げられることなく使用されることが可能である。
【００３０】
また、本発明品の別の使用例を図１１に示す。図１１においては特定の家具３と台車２を通常は窓からの採光を妨げないように机９と壁面１０の間に収めておき、特定の家具３の下部を使用することが必要なときに特定の家具３と台車２を右側の破線で示す位置に移動するという方法により、既設の窓の使用が妨げられることがなくなる。
【００３１】
さらに、本発明品の別の使用例として、本発明品を部屋の中央付近に設置し、移設および移動可能な間仕切り家具として利用することも可能である。
【００３２】
【発明の効果】
以上のように請求項１および請求項２記載の本発明によれば、事務所内や住居内にある既設の押入れや窓やドアその他の既設開口部が、本発明品により設置された特定の家具の背面となる場合にもその使用が妨げられることは無くなる。
【００３３】
そのため事務所内や住居内において、特定の家具の設置場所についての選択肢が拡がり、事務所内や住居内の模様替えをも容易にするものである。
【００３４】
また、本発明品の使用者が特定の家具を既に所持している場合でも、基台１及び台車２の寸法をその特定の家具に適合したものにして組み合わせ使用することで、既に所持しているその特定の家具の移動を容易にすることができ、その特定の家具の設置場所についての選択肢が拡がることになる。
【００３５】
特に引越しをした場合に、引越し後の事務所や住居が引越し前の事務所や住居より狭小で、既に所持している特定の家具の設置場所に困った場合にも、本発明品と組み合わせ使用することでその特定の家具の設置場所の選択肢が拡がり、例えば図９に示したように押入れの前面にも設置できることになり、引越し後の事務所や住居の狭小性の問題の解消に役立つものである。
【００３６】
請求項１に係る本発明の場合は、台車２と特定の家具３の分割も容易であるから、特定の家具３をさまざまなものに交換することも容易であり、特定の家具を新しいものに買い替えた場合も容易に対応できる。
【００３７】
また特定の家具が設置された場所において、特定の家具は台車とともに基台の上を移動するため、特に床材が絨毯や畳の場合には家具の移動の繰り返しによる床材の損傷を防ぐことができる。
【００３８】
また本発明によれば、台車の戸車の大きさや数量を家具の重量に見合ったものにすることで、キャスター付家具では対応しにくい重量家具でも容易に移動可能な家具として使用することが可能である。
【００３９】
請求項１に係る本発明の場合は、基台１と台車２と特定の家具３とに分割することで台車の重量も軽くなるため、移設時に台車を床に置いても台車の戸車で床に損傷を与えることがなくなる。
【図面の簡単な説明】
【図１】本発明請求項１の斜視図である。
【図２】本発明請求項１の分解斜視図である。
【図３】図１のＡ−Ａ断面図である。
【図４】図１のＢ−Ｂ断面図である。
【図５】本発明請求項１の実施例２に係る斜視図である。
【図６】図５のＣ−Ｃ断面図である。
【図７】本発明請求項１の実施例３に係る場合の図６に相当する断面図である。
【図８】本発明請求項２に係る、台車２と特定の家具３とが一体化されて製作された発明品の斜視図である。
【図９】本発明品を住居内の押入れの前面に設置した場合の斜視図である。
【図１０】同じく本発明品を住居内の窓の前面に移設した場合の斜視図である。
【図１１】本発明品を窓脇の机と壁面の間に設置した場合の斜視図である。
【符号の説明】
１、５　　　基台
１ａ、５ａ　基板
１ｂ　　　　レール
２、６　　　台車
２ａ、６ａ　台車基板
２ｂ、６ｂ　戸車
３　　　　　特定の家具
４　　　　　台車と一体化された特定の家具
５ｃ　　　　実施例３のガイドレール
６ｃ　　　　実施例２のガイド
６ｄ　　　　実施例３のガイドローラー
７　　　　　押入れ
８　　　　　窓
９　　　　　机
１０　　　　壁面
Ｌ１　　　　基台の幅
Ｄ１　　　　基台の奥行
Ｌ２　　　　台車の幅
Ｄ２　　　　台車の奥行
【図１】
2004113338.tif 000003
【図２】
2004113338.tif 000004
【図３】
2004113338.tif 000005
【図４】
2004113338.tif 000006
【図５】
2004113338.tif 000007
【図６】
2004113338.tif 000008
【図７】
2004113338.tif 000009
【図８】
2004113338.tif 000010
【図９】
2004113338.tif 000011
【図１０】
2004113338.tif 000012
【図１１】
2004113338.tif 000013